(57)【要約】【課題】  リード線及びケーブルを最短距離で迅速簡単に配線すること。【解決手段】  ローダーシャーシ２の後部上面を覆う遮蔽板１５が設けられると共に、該遮蔽板１５の下面両側縁で前後進ａ，ｂ方向に所定間隔をおいて４本の脚部１５Ａ〜１５Ｄが一体突設され、その各脚部１５Ａ〜１５Ｄの先端にフック部１５ａが一体形成され、前記ローダーシャーシ２の両側壁２ａの後部外周面に前記各脚部１５Ａ〜１５Ｄを挿入するための縦溝１７が形成されると共に、該各縦溝１７に連通して前記各フック部１５ａを係脱可能に係合させるための横溝１８が形成されており、前記各脚部１５Ａ〜１５Ｄを各縦溝１７に挿入して各フック部１５ａを横溝１８に係合させることにより、遮蔽板１５をローダーシャーシ２の後部上に固定し、該遮蔽板１５の上面に一体突設した係止片１６Ａにリード線及びケーブルを係止するようにした。【選択図】        図５  
2005332536.tif 000002
【特許請求の範囲】
【請求項１】
ローダーシャーシにトレイが前後進可能に配置されると共に、該トレイの下方にターンテーブルと光ピックアップとが設けられ、前記ローダーシャーシの側部に設けた制御機器用入力コネクタがリード線を介してローダーシャーシの後方に設けた電源用コネクタに接続され、前記ローダーシャーシの後部に設けた制御機器用出力コネクタがケーブルを介してローダーシャーシの側方に設けた情報処理機器用コネクタに接続されており、電源をリード線を介して制御機器に接続し、該制御機器の駆動制御によりトレイ上のディスクをターンテーブルで持ち上げ、該ターンテーブルによりディスクを高速回転させ、該ディスクに記録されている情報を光ピックアップにより読み取り、その読み取った情報信号を前記ケーブルを介して情報処理機器に伝達するようにしたディスク装置において、前記ローダーシャーシの後部上面を覆う遮蔽板が設けられると共に、該遮蔽板の上面に前記リード線及びケーブルを係止するための複数の係止片が一体突設され、その遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定し、該遮蔽板の各係止片にリード線及びケーブルを係止するようにしたことを特徴とするディスク装置。    
【請求項２】
ローダーシャーシにトレイが前後進可能に配置されると共に、該トレイの下方にターンテーブルと光ピックアップとが設けられ、前記ローダーシャーシの側部に設けた制御機器用入力コネクタがリード線を介してローダーシャーシの後方に設けた電源用コネクタに接続され、前記ローダーシャーシの後部に設けた制御機器用出力コネクタがケーブルを介してローダーシャーシの側方に設けた情報処理機器用コネクタに接続されており、電源をリード線を介して制御機器に接続し、該制御機器の駆動制御によりトレイ上のディスクをターンテーブルで持ち上げ、該ターンテーブルによりディスクを高速回転させ、該ディスクに記録されている情報を光ピックアップにより読み取り、その読み取った情報信号を前記ケーブルを介して情報処理機器に伝達するようにしたディスク装置において、ローダーシャーシの後部上面を覆う遮蔽板が設けられると共に、該遮蔽板の上面に前記リード線及びケーブルを係止するための複数の係止片が一体突設され、その遮蔽板の下面両側縁で前後進方向に所定間隔をおいて４本の脚部が一体突設され、その各脚部の先端にフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定し、該遮蔽板の上面に一体突設した係止片にリード線及びケーブルを係止するようにしたことを特徴とするディスク装置。    
【請求項３】
前記４本の脚部のうち、その前側２本の脚部に一体形成したフック部が前進側に突出されると共に、その後側２本の脚部に一体形成したフック部が後進側に突出されていることを特徴とする請求項２に記載のディスク装置。    
【請求項４】
前側２本の脚部が前進側へ外広がり状に若干傾斜されると共に、後側２本の脚部が後進側へ外広がり状に若干傾斜されていることを特徴とする請求項３に記載のディスク装置。
【発明の詳細な説明】
【技術分野】
【０００１】
本発明は、例えばＤＶＤなどのディスクの再生や録画または消去を行うためのディスク装置に関し、特に、電源に接続するためのリード線や情報処理機器に接続するためのケーブルをノイズが乗り移らないに最短距離で配線するようにしたものである。
【背景技術】
【０００２】
従来、ディスク装置の技術として特許文献１などに記載したものがあり、その一例を図８に基づいて説明すると、これは、ＤＶＤ型ディスク装置であって、外装ケーシング１内のほぼ中央部に合成樹脂製ローダーシャーシ２が固定され、該ローダーシャーシ２にトレイ３が前後進ａ，ｂ可能に配置され、該トレイ３に対向して外装ケーシング１の前面パネルに開口部１ａが形成され、前記トレイ３の下方の上下動可能なドライブシャーシ（図示せず）にターンテーブル４と光ピックアップ５とが設けられ、ローダーシャーシ２の側部に設けた制御機器用入力コネクタ６がリード線７を介してローダーシャーシ２の後方のＡＶ基板８上に設けた電源用コネクタ９に接続され、ローダーシャーシ２の後部に設けた制御機器用出力コネクタ１０がケーブル１１を介してローダーシャーシ２の側方のバックエンド基板１２上に設けた映像機器用コネクタ（情報処理機器用コネクタ）１３に接続されている。
【０００３】
上記構成において、電源をリード線７を介して制御機器（図示せず）に接続し、該制御機器の駆動制御により、ドライブシャーシを上動させてトレイ３上のディスクＤをターンテーブル４で持ち上げ、該ターンテーブル４によりディスクＤを高速回転させ、該ディスクＤに記録されている情報を光ピックアップ５により読み取り、その読み取った情報信号をケーブル１１を介して映像機器に伝達し、これによって、モニターに映像を再生したり録画したり消去する。
【０００４】
組立手順を説明すると、トレイ３付きローダーシャーシ２を外装ケーシング１内の所定位置に固定した後、リード線７及びケーブル１１をローダーシャーシ２の外側に遠巻きに配線してその両端を各コネクタ６，９、１０，１３に接続する。
【特許文献１】特開平７−９３９６３号公報
【発明の開示】
【発明が解決しようとする課題】
【０００５】
上記従来の構成では、リード線７及びケーブル１１をローダーシャーシ２の外側に遠巻きに配線しており、そのリード線７及びケーブル１１が割高で比較的長尺であるから、コストアップになる。また、リード線７及びケーブル１１が比較的長尺である分だけノイズが乗り移って録画再生に障害を生じさせやすい。
【０００６】
そこで、リード線７及びケーブル１１をローダーシャーシ２の後部上方を通って最短距離で配線することが考えられるが、これでは、リード線７及びケーブル１１が撓んでトレイ３に接触し、該トレイ３の前後進ａ，ｂを阻害するおそれがある。
【０００７】
本発明は、上記従来の欠点に鑑み、リード線及びケーブルをトレイの前後進を阻害せずに最短距離で迅速簡単に配線することができるようにしたディスク装置を提供することを目的としている
。
【課題を解決するための手段】
【０００８】
上記目的を達成するため、請求項１に記載の発明は、ローダーシャーシにトレイが前後進可能に配置されると共に、該トレイの下方にターンテーブルと光ピックアップとが設けられ、前記ローダーシャーシの側部に設けた制御機器用入力コネクタがリード線を介してローダーシャーシの後方に設けた電源用コネクタに接続され、前記ローダーシャーシの後部に設けた制御機器用出力コネクタがケーブルを介してローダーシャーシの側方に設けた情報処理機器用コネクタに接続されており、電源をリード線を介して制御機器に接続し、該制御機器の駆動制御によりトレイ上のディスクをターンテーブルで持ち上げ、該ターンテーブルによりディスクを高速回転させ、該ディスクに記録されている情報を光ピックアップにより読み取り、その読み取った情報信号を前記ケーブルを介して情報処理機器に伝達するようにしたディスク装置において、前記ローダーシャーシの後部上面を覆う遮蔽板が設けられると共に、該遮蔽板の上面に前記リード線及びケーブルを係止するための複数の係止片が一体突設され、その遮蔽板の下面両側縁で前後進方向に所定間隔をおいて４本の脚部が一体突設され、その前側２本の脚部が前進側へ外広がり状に若干傾斜されてその先端に前進側に突出するフック部が一体形成され、その後側２本の脚部が後進側へ外広がり状に若干傾斜されてその先端に後進側に突出するフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定し、該遮蔽板の各係止片にリード線及びケーブルを係止するようにしたことを特徴としている。
【０００９】
請求項２に記載の発明は、ローダーシャーシにトレイが前後進可能に配置されると共に、該トレイの下方にターンテーブルと光ピックアップとが設けられ、前記ローダーシャーシの側部に設けた制御機器用入力コネクタがリード線を介してローダーシャーシの後方に設けた電源用コネクタに接続され、前記ローダーシャーシの後部に設けた制御機器用出力コネクタがケーブルを介してローダーシャーシの側方に設けた情報処理機器用コネクタに接続されており、電源をリード線を介して制御機器に接続し、該制御機器の駆動制御によりトレイ上のディスクをターンテーブルで持ち上げ、該ターンテーブルによりディスクを高速回転させ、該ディスクに記録されている情報を光ピックアップにより読み取り、その読み取った情報信号を前記ケーブルを介して情報処理機器に伝達するようにしたディスク装置において、ローダーシャーシの後部上面を覆う遮蔽板が設けられると共に、該遮蔽板の上面に前記リード線及びケーブルを係止するための複数の係止片が一体突設され、その遮蔽板の下面両側縁で前後進方向に所定間隔をおいて４本の脚部が一体突設され、その各脚部の先端にフック部が一体形成され、前記ローダーシャーシの両側壁の後部外周面に前記各脚部を挿入するための縦溝が形成されると共に、該各縦溝に連通して前記各フック部を係脱可能に係合させるための横溝が形成されており、前記各脚部を各縦溝に挿入して各フック部を横溝に係合させることにより、遮蔽板をローダーシャーシの後部上に固定し、該遮蔽板の上面に一体突設した係止片にリード線及びケーブルを係止するようにしたことを特徴としている。
【００１０】
請求項３に記載の発明は、請求項２に記載の発明において、前記４本の脚部のうち、その前側２本の脚部に一体形成したフック部が前進側に突出されると共に、その後側２本の脚部に一体形成したフック部が後進側に突出されていることを特徴としている。
【００１１】
請求項４に記載の発明は、請求項３に記載の発明において、前側２本の脚部が前進側へ外広がり状に若干傾斜されると共に、後側２本の脚部が後進側へ外広がり状に若干傾斜されていることを特徴としている。
【発明の効果】
【００１２】
請求項１に記載の発明は、実施の一形態（図１〜図７参照）に対応するものであって、これによれば、リード線及びケーブルを遮蔽板及び各係止片を利用してローダーシャーシの上方を通って最短距離で配線しているから、その配線によってトレイの前後進を阻害することがなく、そのリード線及びケーブルとして従来に比べて短尺なものを用いることにより、その短尺にした分だけコストダウンを図ることができると共に、短尺にしたリード線及びケーブルにノイズが乗り移ることがほとんど無くなり、録画再生機能を大幅に改善することができる。
【００１３】
前記遮蔽板に突設した４本の脚部をローダーシャーシの各縦溝に挿入するだけで、該遮蔽板をローダーシャーシに前後進方向及び該前後進方向とは直交する左右方向に沿って不測に動かないように係止できると共に、各脚部の先端に突設したフック部を各縦溝に連通する横溝に係合させることにより、遮蔽板が不測に浮き上がってローダーシャーシから外れないように確実に固定できる。
【００１４】
また、前側２本の脚部に一体形成したフック部が前進側に向かって突出されると共に、その後側２本の脚部に一体形成したフック部が後進側に向かって突出されており、前後進方向に沿って対向するフック部間の間隔を広くとっているから、遮蔽板をローダーシャーシに安定して一層確実に固定できる。
【００１５】
更に、各脚部外広がり状に若干傾斜されているから、その各脚部を各縦溝の内側面に圧接させて、遮蔽板をターンテーブルや光ピックアップなどの駆動により不測に振動しないようにローダーシャーシに一体的に固定できる。
【００１６】
請求項２に記載の発明は、基本形態を示すものであって、これによれば、リード線及びケーブルを遮蔽板及び各係止片を利用してローダーシャーシの上方を通って最短距離で配線しているから、その配線によってトレイの前後進を阻害することがなく、そのリード線及びケーブルとして従来に比べて短尺なものを用いることにより、その短尺にした分だけコストダウンを図ることができると共に、短尺にしたリード線及びケーブルにノイズが乗り移ることがほとんど無くなり、録画再生機能を大幅に改善できる。
【００１７】
前記遮蔽板に突設した４本の脚部をローダーシャーシの各縦溝に挿入するだけで、該遮蔽板をローダーシャーシに前後進方向及び該前後進方向とは直交する左右方向に沿って不測に動かないように係止できると共に、各脚部の先端に突設したフック部を各縦溝に連通する横溝に係合させることにより、遮蔽板が不測に浮き上がってローダーシャーシから外れないように確実に固定できる。
【００１８】
請求項３に記載の発明によれば、前側２本の脚部に一体形成したフック部が前進側に向かって突出されると共に、その後側２本の脚部に一体形成したフック部が後進側に向かって突出されており、前後進方向に沿って対向するフック部間の間隔を広くとっているから、遮蔽板をローダーシャーシに安定して一層確実に固定できる。
【００１９】
請求項４に記載の発明によれば、各脚部が外広がり状に若干傾斜されているから、その各脚部を各縦溝の内側面に圧接させて、遮蔽板をターンテーブルや光ピックアップなどの駆動により不測に振動しないようにローダーシャーシに一体的に固定できる。
【発明を実施するための最良の形態】
【００２０】
図１〜図５は本発明の実施の一形態であるＤＶＤ型ディスク装置を示すものであって、ローダーシャーシ２の後部上面を覆う合成樹脂製遮蔽板１５が設けられると共に、該遮蔽板１５の上面に前記リード線７及びケーブル１１を係止するための複数の係止片１６Ａと補強枠１６Ｂとが一体突設されている。なお、図２中、１４はローダーシャーシ２内の下部に係止したプリント基板であって、その上に制御機器用の入力コネクタ６と出力コネクタ１０とが配置されている。上記以外の構成は図８に示す構成をほぼ同じであるから、同一部分に同一符号を付してその説明を省略する。
【００２１】
前記遮蔽板１５は、矩形板材からなり、その下面両側縁で前後進ａ，ｂ方向に所定間隔をおいて４本の脚部１５Ａ〜１５Ｄが一体突設され、その前側２本の脚部１５Ａ，１５Ｂの先端から前進側に向かってフック部１５ａが一体形成されると共に、その後側２本の脚部１５Ｃ，１５Ｄの先端から後進側に向かってフック部１５ａが一体形成され、図６（ａ）に示すように、前側２本の脚部１５Ａ，１５Ｂが前進側へ所定角度α（例えば１〜５°）外広がり状に若干傾斜されると共に、後側２本の脚部１５Ｃ，１５Ｄが後進側へ所定角度α（例えば１〜５°）外広がり状に若干傾斜されている。
【００２２】
図６及び図７に示すように、ローダーシャーシ２の両側壁２ａの後部外周面に前記各脚部１５Ａ〜１５Ｄを挿入するための縦溝１７が形成されると共に、該各縦溝１７に連通して前記各フック部１５ａを係脱可能に係合させるための横溝１８が形成されている。なお、図６（ａ）に示すように、遮蔽板１５の両側縁に位置決め孔１９が
貫設されると共に、貝各位置決め孔１９に対向してローダーシャーシ２の両側壁２ａの上面に位置決め突起２０が一体突設されている。
【００２３】
組立手順を説明すると、図６（ａ）及び図７（ａ）に示すように、遮蔽板１５を把持してローダーシャーシ２の後部上方から下降させることにより、図６（ｂ）及び図７（ｂ）に示すように、各脚部１５Ａ〜１５Ｄを各縦溝１７内に挿入して、その前側２本の脚部１５Ａ，１５Ｂの前面１５ｂを前側縦溝１７の前側内側面１７ａに圧接させると共に、その後側２本の脚部１５Ｃ，１５Ｄの後面１５ｃを後側縦溝１７の後側内側面１７ｂに圧接させ、位置決め孔１９を位置決め突起２０に嵌合させ、各フック部１５ａを各横溝１８に嵌入させ、該各フック部１５ａを各内側面１７ａ，１７ｂの下端角部２１に係合させる。
【００２４】
続いて、図１に示すように、入力コネクタ６に一端部を接続したリード線７を遮蔽板１５上に回して係止片１６Ａに係止した後、該リード線７の他端部を電源用コネクタ９に接続し、出力コネクタ１０に一端部を接続したケーブル１１を遮蔽板１５上に回して係止片１６Ａに係止した後、該ケーブル１１の他端部を映像機器用コネクタ１３に接続する。
【００２５】
上記構成によれば、リード線７及びケーブル１１を遮蔽板１５及び各係止片１６Ａを利用してローダーシャーシ２の上方を通って最短距離で配線しているから、その配線によってトレイ３の前後進ａ，ｂを阻害することがなく、そのリード線７及びケーブル１１として従来に比べて短尺なものを用いることにより、その短尺にした分だけコストダウンを図ることができると共に、短尺にしたリード線７及びケーブル１１にノイズが乗り移ることがほとんど無くなり、録画再生機能を大幅に改善できる。
【００２６】
前記遮蔽板１５に突設した４本の脚部１５Ａ〜１５Ｄをローダーシャーシ２の各縦溝１７に挿入するだけで、該遮蔽板１５をローダーシャーシ２に前後進ａ，ｂ方向及び該前後進ａ，ｂ方向とは直交する左右方向ｃ，ｄに沿って不測に動かないように係止できると共に、各脚部１５Ａ〜１５Ｄの先端に突設したフック部１５ａを各横溝１８に係合させることにより、遮蔽板１５が不測に浮き上がってローダーシャーシ２から外れないように確実に固定できる。
【００２７】
また、前側２本の脚部１５Ａ，１５Ｂに一体形成したフック部１５ａが前進ａ側に向かって突出されると共に、その後側２本の脚部１５Ｃ，１５Ｄに一体形成したフック部１５ａが後進ｂ側に向かって突出されており、前後進ａ，ｂ方向に沿って対向するフック部１５ａ間の間隔Ｌ〔図６（ａ）参照〕を広くとっているから、遮蔽板１５をローダーシャーシ２に安定して一層確実に固定できる。
【００２８】
更に、図６（ａ）に示すように、各脚部１５Ａ〜１５Ｄが外広がり状に若干傾斜されているから、その各脚部１５Ａ〜１５Ｄを各縦溝１７の内側面１７ａ，１７ｂに圧接させて、遮蔽板１５をターンテーブル４や光ピックアップ５などの駆動により不測に振動しないようにローダーシャーシ２に一体的に固定できる。
【図面の簡単な説明】
【００２９】
【図１】本発明の実施の一形態であるＤＶＤ型ディスク装置を示す平面図である。
【図２】同側面図である。
【図３】同背面図である。
【図４】同斜視図である。
【図５】同分解斜視図である。
【図６】（ａ）は遮蔽板固定前の同要部の縦断面図、（ｂ）は遮蔽板固定後の同要部の縦断面図である。
【図７】（ａ）は遮蔽板固定前の同要部の横断面図、（ｂ）は遮蔽板固定後の同要部の横断面図である。
【図８】従来例を示す概略平面図である。
【符号の説明】
【００３０】
２              ローダーシャーシ  
３              トレイ  
４              ターンテーブル  
５              光ピックアップ  
６              制御機器用入力コネクタ
７              リード線  
９              電源用コネクタ  
１０            制御機器用出力コネクタ
１１            ケーブル
１３            映像機器用コネクタ（情報処理機器用コネクタ）
１５            遮蔽板  
１５Ａ〜１５Ｄ  脚部  
１５ａ          フック部  
１６Ａ          係止片  
１７            縦溝
１７ａ，１７ｂ  縦溝の内側面
１８            横溝  ａ，ｂ          前後進  Ｄ              ディスク
【図１】
2005332536.tif 000003
【図２】
2005332536.tif 000004
【図３】
2005332536.tif 000005
【図４】
2005332536.tif 000006
【図５】
2005332536.tif 000007
【図６】
2005332536.tif 000008
【図７】
2005332536.tif 000009
【図８】
2005332536.tif 000010